【事件の表示】
　特願２００２−５６３３３９「音声ＸＭＬファイルを自動的に生成する方法およびシステム」拒絶査定不服審判事件〔平成１４年　８月１５日国際公開、ＷＯ０２／６３４６０、平成１６年　７月２９日国内公表、特表２００４−５２３０３９〕について、次のとおり審決する。
【結　論】
　本件審判の請求は、成り立たない。
【理　由】
１．手続の経緯
　本願は、平成１４年１月２５日（パリ条約による優先権主張外国庁受理：平成１３年２月２日、中国）を国際出願日とする出願であって、平成１８年１月３１日付けの拒絶の理由の通知に対して、同年７月１０日付けで意見書が提出されるとともに、同日付けで手続補正がなされ、平成１９年１月３１日付けの拒絶の理由の通知に対して、同年４月１７日付けで意見書が提出されたが、同年１１月１９日付けで拒絶をすべき旨の査定がされ、これに対し平成２０年２月１８日に拒絶査定不服審判の請求がなされるとともに、同年３月１９日付けで手続補正がなされたものである。
　
２．本願発明
　本願の請求項１に係る発明は、平成２０年３月１９日付け手続補正書の特許請求の範囲の請求項１に記載された次のとおりのものと認める。（以下「本願発明」という。） 
　
「【請求項１】
　自動的に音声ＸＭＬファイルを生成するための方法であって、
　各々が音声ＸＭＬファイルのための１つまたはそれ以上のオーディオ・ハイパーリンクの種類に対応する複数のアイコンを定義して音声ＸＭＬファイルのためのオーディオ・ハイパーリンクを加えるためのグラフィック・ユーザ・インターフェースを提供するステップと、
　前記グラフィック・ユーザ・インターフェースにおいて前記アイコンを呼び出すユーザの操作手順を記録するステップと、
　前記音声ＸＭＬファイルを生成するために音声ＸＭＬタグのライブラリに基づいて前記操作手順を解釈し、対応する音声ＸＭＬタグを生成するステップと、
　音声ＸＭＬ構文に従い、再生されるコンテンツと前記生成された音声ＸＭＬタグを結合して、前記音声ＸＭＬファイルを生成するステップと、
　を含む、方法。」
　
３．引用例に記載された発明
　これに対して、原査定の拒絶の理由に引用された刊行物である「特開平１１−１６１４６５号公報」（平成１１年６月１８日公開。以下「引用例」という。）には、図面とともに次の事項が記載されている。
　
Ａ．「【００１６】また、この発明は、上述した課題を解決するために、ネットワークに接続されたクライアント用の情報機器に対してサービスを提供するようにされた情報処理方法において、クライアント用の情報機器から転送された音声データに対して、クライアント用の情報機器からの第１の指示に基づく音声修飾処理を施す音声修飾処理のステップと、音声修飾処理のステップによって音声修飾処理を施された音声データを格納する格納のステップと、クライアント用の情報機器から受け取った第２の指示に基づき、格納のステップで格納された音声データのＵＲＬを記述したＨＴＭＬファイルを自動的に生成するＨＴＭＬファイル生成のステップとを備えることを特徴とする情報処理方法である。
【００１７】また、この発明は、上述した課題を解決するために、ＷＷＷサーバを用いてネットワーク通信を行うと共に、読み込んだＨＴＭＬファイルの記述に応じた処理を行うようにされた情報処理方法において、音声データを格納する音声データ格納のステップと、音声データ格納のステップに格納された音声データを選択し、選択された音声データをＷＷＷサーバへ転送する選択のステップと、選択のステップによって選択されＷＷＷサーバへ転送された音声データに対してＷＷＷサーバ上で施される音声修飾処理を指示する指示のステップとを備えることを特徴とする情報処理方法である。」（第５ページ第７欄４９行目〜第８欄２２行目）
　
Ｂ．「【００５３】次に、ステップＳ２０で上述した、音声修飾処理について説明する。この実施の第１の形態では、音声修飾処理として、ＷＷＷサーバ２に用意された音声データとクライアントコンピュータ５側に用意された音声データとの合成処理を行う。図４は、この実施の第１の形態における音声修飾処理、すなわち音声データの合成を示すフローチャートである。
【００５４】上述の図３において、ステップＳ２０に処理が移行すると、先ず、図４のフローチャートに示されるように、ステップＳ２００で、クライアントコンピュータ５側での音声データの選択が行われる。この音声データは、例えば、ユーザによって、マイク１３０を用いて収録されて得られたものを用いることができる。この音声データは、ファイル名が付けられ音声データファイルとされ、ハードディスク１１６の所定領域に格納されている。
【００５５】図５は、ステップＳ２００での音声データの選択の際の、ＷＷＷブラウザにおける表示の一例を示す。ＷＷＷブラウザ表示３００に対して、音声データファイルのファイル名を入力するための、ファイル名入力部３０１が配置される。また、参照ボタン３０２および転送ボタン３０３が配置される。
【００５６】この表示は、ＷＷＷサーバ２からクライアントコンピュータ５に対して送られたＨＴＭＬファイルがＷＷＷブラウザに読み込まれることで表示される。図６は、この場合のＨＴＭＬファイルの記述の一例を示す。タグFORM ENCTYPE=… ・・・/FORM の部分がファイル名入力部３０１，参照ボタン３０２，および転送ボタン３０３に対応する。また、この部分に、後述するＣＧＩを用いたファイル転送プログラムを呼び出すための記述がなされる。
【００５７】参照ボタン３０２を押すことで、クライアントコンピュータ５におけるハードディスク１１６のディレクトリ構成が表示される。ユーザは、このディレクトリ構成の表示上でファイルの検索を行い、所望の音声データファイルを指定する。これにより、ファイル名入力部３０１に対して、正確なファイル名の入力を自動的に行うことができる。
【００５８】ファイル名入力部３０１に音声データファイルのファイル名が入力され、音声データファイルの選択が行われると、次のステップＳ２０１で、選択された音声データファイルの、ＷＷＷサーバ２への転送が指示される。これは、ファイル名入力部３０１にファイル名が入力された状態で転送ボタン３０３が押されることで行われる。転送ボタン３０３が押されると、ＨＴＭＬファイルの記述に対応したＷＷＷブラウザの機能により、選択された音声データファイルがハードディスク１１６の、ファイル名入力部３０１で指定された領域から読み出され、公衆電話回線１２７およびインターネット１を介してＷＷＷサーバ２に転送される。
【００５９】ＷＷＷサーバ２では、クライアントコンピュータ５から転送された音声データファイルのチェックが行われる。転送された音声データファイルについて、ファイルの種類とファイルサイズとがチェックされる。そして、これらが所定の条件を満たしている場合には、その音声データファイルがＷＷＷサーバ２に受け付けられ、例えばストレージ３の所定の領域に格納される。
【００６０】若し、転送された音声データファイルについて、これらが所定の条件を満たしていない場合には、その音声データファイルは、ＷＷＷサーバ２に受け付けられない。そして、ＷＷＷサーバ２からその音声データファイルを転送したクライアントコンピュータ５に対して、エラーである旨が通知される。例えばエラー表示を行うように記述されたＨＴＭＬファイルがＷＷＷサーバ２から該当クライアントコンピュータ５に対して送られ、ＷＷＷブラウザに読み込まれると、ＷＷＷブラウザ表示３００にエラー通知が表示される。このとき、音声データファイルの再送を指示するように表示してもよい。
【００６１】ファイルの種類は、例えばＰＣＭ(Pulse Code Modulation) 方式に基づくディジタル音声データに対応した形式を用いることができる。複数の形式の音声データファイルに対応させることも可能である。ファイルの種類は、ファイル名の末尾に、通常「．（ピリオド）」で区切って付された拡張子に基づき判断することが可能である。ファイルのヘッダ情報などから自動的に判断するようにしてもよい。また、転送可能なファイルサイズには制限を与えることができる。この例では、５００ｋバイトが上限とされる。
【００６２】なお、音声データファイルに関するこれらの諸条件は、ＨＴＭＬファイルに記述し、図５に一例が示されるように、ＷＷＷブラウザ表示３００に対して表示すると、より好ましい。また、図５において、ファイル条件の表示における「ｗａｖ形式」は、特定のＯＳ(Operation System)で用いられるＰＣＭに基づく音声データファイルの形式の一例である。
【００６３】図７は、このステップＳ２０１における音声データファイル転送の処理を行うためのプログラムの一例を示す。この例では、プログラムは、Ｐｅｒｌ(Practical Extraction and Report Language)で記述されており、ＣＧＩ( Common Gateway Interface) において用いられる。このプログラムは、ＷＷＷサーバ２上に格納され、上述した、タグFORM ENCTYPE=… ・・・/FORM の部分の記述により、ＷＷＷサーバ２から呼び出される。このプログラムがＷＷＷサーバ２上で実行されることによって、転送された音声データファイルが上述の条件を満たしているかどうかのチェックが行われる。
【００６４】音声データファイルの、クライアントコンピュータ５からＷＷＷサーバ２への転送が完了すると、処理はステップＳ２０２に移行する。ステップＳ２０２では、ＷＷＷサーバ２に予め用意された音声データの選択が行われる。この実施の第１の形態では、選択された音声データと、上述のステップＳ２０１でクライアントコンピュータ５から音声データファイルとして転送された音声データとの合成処理が行われる。
【００６５】図８は、ＷＷＷサーバ２上の音声データの選択を行うための、ＷＷＷブラウザにおける表示の一例を示す。これは、ＷＷＷサーバ２からクライアントコンピュータ５に対して送られたＨＴＭＬファイルに基づき表示される。ＷＷＷブラウザ表示３００に対して、ＷＷＷサーバ２に予め用意された音声データの一覧３０５が表示されると共に、それぞれの音声データに対応したラジオボタン３０６，３０６，・・・が表示される。この例では、ＷＷＷサーバ２において、「波の音」，「風の音」，および「車の音」といった、複数の環境音が用意されている。ユーザは、このラジオボタン３０６，３０６，・・・の中の１つを押すことで、合成したい音声データの選択を行うことができる。
【００６６】ラジオボタン３０６が押されると、ＷＷＷブラウザにおいて、ＨＴＭＬファイルの記述に基づき、押されたラジオボタン３０６に対応したパラメータが生成される。このパラメータがクライアントコンピュータ５からＷＷＷサーバ２に対して送られる。このパラメータに基づき、ＷＷＷサーバ２において、例えば予めストレージ３に格納されている音声データファイルの指定がなされる。
【００６７】次のステップＳ２０３で、クライアントコンピュータ５から転送された音声データと、クライアントコンピュータ５側で選択されたＷＷＷサーバ２上の音声データとが合成される。この合成処理については、後述する。音声データの合成が行われると、次のステップＳ２０４で、合成された音声データが１つの音声データファイルとして、固有のＵＲＬを与えられてＷＷＷサーバ２において保存される。そして、処理はステップＳ２０５に移行する。
【００６８】ステップＳ２０５では、このようにして合成され保存された音声データファイルを再生できるページがＷＷＷブラウザに対して表示される。例えば、ＷＷＷサーバ２において、合成された音声データファイルに与えられたＵＲＬに基づき、この音声データファイルに対してリンクが張られたＨＴＭＬファイルが自動的に生成される。この生成されたＨＴＭＬファイルがＷＷＷサーバ２からクライアントコンピュータ５に対して送られる。このＨＴＭＬファイルがＷＷＷブラウザによって読み込まれることで、ユーザは、合成された音声データファイルを再生させて、合成音声を確認することができる。」（第９ページ第１５欄２６行目〜第１０ページ第１８欄２２行目）
　
　以上の記載によれば、引用例には、次の発明（以下「引用発明」という。）が記載されている。
　
「ネットワークに接続されたクライアント用の情報機器に対してサービスを提供するようにされた情報処理方法において、
　ＷＷＷブラウザ表示３００に対して、ＷＷＷサーバ２に予め用意された音声データの一覧３０５が表示されると共に、それぞれの音声データに対応したラジオボタン３０６，３０６，・・・が表示され、ユーザは、このラジオボタン３０６，３０６，・・・の中の１つを押すことで、合成したい音声データの選択を行うことができるもので、
　ラジオボタン３０６が押されると、ＷＷＷブラウザにおいて、ＨＴＭＬファイルの記述に基づき、押されたラジオボタン３０６に対応したパラメータが生成され、このパラメータに基づき、ＷＷＷサーバ２において、予めストレージ３に格納されている音声データファイルの指定がなされ、
　クライアントコンピュータ５から転送された音声データと、クライアントコンピュータ５側で選択されたＷＷＷサーバ２上の音声データとが合成され、
　合成された音声データが１つの音声データファイルとして、固有のＵＲＬを与えられてＷＷＷサーバ２において保存され、
　ＷＷＷサーバ２において、合成された音声データファイルに与えられたＵＲＬに基づき、この音声データファイルに対してリンクが張られたＨＴＭＬファイルが自動的に生成されることを特徴とする情報処理方法。」
　
４．対比
　本願発明と引用発明を対比する。
　「ＨＴＭＬファイル」と「音声ＸＭＬファイル」は、共にタグ構造を有するファイルである点で共通し、そして、引用発明はＨＴＭＬファイルを自動的に生成する方法であり、また、本願発明は自動的に音声ＸＭＬファイルを生成するための方法であるので、引用発明と本願発明は、「自動的にタグ構造を有するファイルを生成するための方法」である点で一致する。
　引用発明は、音声データファイルに与えられたＵＲＬに基づき、この音声データファイルに対してリンクが張られたＨＴＭＬファイルが自動的に生成されるものであるので、引用発明は、タグ構造を有するファイルであるＨＴＭＬファイルにハイパーリンクを加えているものである。また、引用発明は、ＷＷＷブラウザ表示３００に対して、ＷＷＷサーバ２に予め用意された音声データの一覧３０５が表示されると共に、それぞれの音声データに対応したラジオボタン３０６，３０６，・・・が表示され、ユーザは、このラジオボタン３０６，３０６，・・・の中の１つを押すことで、合成したい音声データが選択され、ラジオボタン３０６が押されると、ＷＷＷブラウザにおいて、ＨＴＭＬファイルの記述に基づき、押されたラジオボタン３０６に対応したパラメータが生成され音声データファイルに対してリンクが張られたＨＴＭＬファイルが自動的に生成されるものであるので、引用発明は、ハイパーリンクを加えるためのグラフィック・ユーザ・インターフェースが提供されていることになる。そのため、引用発明と本願発明は、タグ構造を有するファイルのためのハイパーリンクを加えるためのグラフィック・ユーザ・インターフェースを提供するステップを有する点で一致する。
　引用発明は、ＨＴＭＬファイルが自動的に生成されるものであるので、ＨＴＭＬで定義されるタグが生成されていることは明らかである。そのため、引用発明と本願発明は、タグ構造を有するファイルを生成するために対応するタグを生成するステップを有する点で共通する。
　引用発明の「音声データファイル」は音声として再生されるものであるので、本願発明の「再生されるコンテンツ」に相当する。そして、引用発明は、音声データファイルに与えられたＵＲＬに基づき、この音声データファイルに対してリンクが張られたＨＴＭＬファイルが自動的に生成されているので、引用発明と本願発明は、生成されるコンテンツと前記生成されたタグを結合して、タグ構造を有するファイルを生成するステップを有する点で一致する。
　さらに、引用発明はＨＴＭＬタグ構造の構文に従いＨＴＭＬファイルを生成することは明らかであるので、引用発明と本願発明は、タグ構造の構文に従い、タグ構造を有するファイルを生成する点で一致する。
　
　よって、本願発明と引用発明とは、次の点で一致する。
　
一致点
「自動的にタグ構造を有するファイルを生成するための方法であって、
　タグ構造を有するファイルのためのハイパーリンクを加えるためのグラフィック・ユーザ・インターフェースを提供するステップと、
　前記タグ構造を有するファイルを生成するために対応するタグを生成するステップと、
　タグ構造の構文に従い、再生されるコンテンツと前記生成されたタグを結合して、前記タグ構造を有するファイルを生成するステップと、
　を含む、方法。」
　　
　一方、両者は次の点で相違する。
　
相違点１
　本願発明は、音声ＸＭＬタグのライブラリに基づいて音声ＸＭＬタグを生成し、音声ＸＭＬ構文に従い、再生されるコンテンツと生成された音声ＸＭＬタグを結合して音声ＸＭＬファイルを生成するための方法であるのに対し、引用発明は、再生される音声データファイルにリンクが張られたＨＴＭＬファイルを生成するための方法であり、音声ＸＭＬを対象としたものではない点。
　
相違点２
　本願発明は、オーディオ・ハイパーリンクの種類に対応する複数のアイコンを定義して音声ＸＭＬファイルのためのオーディオ・ハイパーリンクを加えるためのグラフィック・ユーザ・インターフェースを提供し、グラフィック・ユーザ・インターフェースにおいてアイコンを呼び出すユーザの操作手順を記録し、その操作手順を解釈して対応する音声ＸＭＬタグを生成するのに対して、引用発明ではタグの生成に関して当該方法を用いることの特定がなされていない点。
　
５．当審の判断
　
（相違点１について）
　ＨＴＭＬファイルを生成するツールは引用例１に示したように周知のものであり、同様に一般的なＸＭＬファイルを生成するツールも周知のものである（「青木　保一、他著、つくりながら学ぶＸＭＬ（基礎編）：第３章ＸＭＬ文書を書いてみよう、ＯＰＥＮ　ＤＥＳＩＧＮ　第６巻第６号、ＣＱ出版株式会社、平成１１年１２月１日発行、ｐ．４０−ｐ．６１」、「松山　貴之著、注目製品選択のポイント　今月のテーマ：ＸＭＬ関連ツール  製品分野は７種類  ＸＭＬの用途ごとにツールを選ぶ、日経オープンシステム  第８９号、日経ＢＰ社、平成１２年８月１５日発行、ｐ．１３２−ｐ．１４１」等を参照。）。
　そして、一般的なＸＭＬとＨＴＭＬは、共にそれぞれに規定されたＤＴＤに基づくタグセットから構成されるものであり、それぞれに規定されたタグの名称及び配置は異なるものであるが、タグに基づくマークアップ言語としての構成に関して、両者が同様のものであることは周知の事項である。そのため、ＨＴＭＬファイルを生成するツールで用いられる構成を、一般的なＸＭＬファイルを生成するツールにそのまま適用できるものであり、この点は当業者によく知られていることである。
　ここで、音声ＸＭＬとは、音声用のＸＭＬとしての専用のＤＴＤにより規定されたタグセットから構成されるＸＭＬの一形態であり、マークアップ言語としての構成に関して一般のＸＭＬと何ら異なるものではない。また、本願発明は、ＨＴＭＬを生成することに比較して、音声ＸＭＬを生成することに特有な格別な構成を有しているものでもない。さらに、本願発明と引用発明は共に再生されるコンテンツと生成されたタグを結合してファイルを生成する点で共通するものでもある。
　以上のことから、引用発明のＨＴＭＬのタグのセットに基づきＨＴＭＬファイル生成する構成を、音声ＸＭＬのタグのセットに基づき音声ＸＭＬファイルを生成する構成に適用して本願発明のような方法とすることは、当業者であれば容易に成し得ることである。
　また、規定されたタグをプログラムにより自動的に生成する場合、ＨＴＭＬにおいても、音声ＸＭＬにおいても、タグに関する情報が必要なことは明らかであるので、引用発明において音声ＸＭＬタグのライブラリのようなタグの情報を用いるようにすることに格別の困難性は認められない。
　
（相違点２について）
　ＨＴＭＬを生成するためのツールにおいて、ハイパーリンク、文字の形態、サイズ、配置等の各種属性情報を設定する場合に、グラフィックユーザインターフェースに配置されたそれぞれの設定機能に対応した複数のアイコンを用いることは周知の技術である。（「林　知波著、ＦｒｏｎｔＰａｇｅ　Ｅｘｐｒｅｓｓ　はじめてのホームページ、株式会社技術評論社、平成１１年９月２５日発行、ｐ．２９−ｐ．３２（以下、「周知文献」という）」を参照。）。
　そして、各機能に対してどのようにアイコンを設定配置するかは、当業者が設計時に適宜選択し得る事項であるので、ハイパーリンクを生成する機能に関して、ハイパーリンクの種類に対応した複数のアイコンを定義して配置することは、当業者であれば容易に成し得ることである。
　さらに、アイコンを用いて各種の設定を行う場合、文字列のドラッグ、アイコンの押下等の操作手順に基づいて各種の設定機能が動作することについても、上記の周知文献に記載されているように周知の事項である。
　したがって、ＨＴＭＬにハイパーリンクを加えるための上記の周知技術を音声ＸＭＬファイルの生成に適用して本願発明のように構成することは、上記相違点１での検討内容と同様に、当業者であれば容易に成し得ることである。
　
　そして、本願発明の作用効果も、引用発明及び周知の技術から当業者が予測できる範囲のものである。
　
６．むすび
　したがって、本願発明は、引用発明に基づいて当業者が容易に発明をすることができたものであるから、特許法第２９条第２項の規定により特許を受けることができない。
　よって、結論のとおり審決する。